(57)【要約】【課題】文字、記号若しくは図形又はこれらの組み合わせによる表示が存在する表示部が外部から見やすく、且つ複数の表示が可能な筆記具を提供することにある。【解決手段】軸筒の外壁又は軸筒内に配設した部材の外壁に、文字、記号若しくは図形又はこれらの組み合わせによる表示を有する表示部を周設し、前記軸筒に直接又は付設した拡大鏡体のレンズ部によって、前記表示部を拡大して視認可能とした筆記具であって、前記表示部又は拡大鏡体を、前記軸筒の軸心に対して円周方向に回転可能とするとともに、前記レンズ部が、前記拡大した個々の表示よりも大きい透明部と、該透明部の少なくとも円周方向における両端部に半透明部を有することを特徴とする。【選択図】図３
2008254369.tif 000002
【特許請求の範囲】
【請求項１】
軸筒の外壁又は軸筒内に配設した部材の外壁に、文字、記号若しくは図形又はこれらの組み合わせによる表示を有する表示部を周設し、前記軸筒に直接又は付設した拡大鏡体のレンズ部によって、前記表示部を拡大して視認可能とした筆記具であって、前記表示部又は拡大鏡体を、前記軸筒の軸心に対して円周方向に回転可能とするとともに、前記レンズ部が、前記拡大した個々の表示よりも大きい透明部と、該透明部の少なくとも円周方向における両端部に半透明部を有することを特徴とする筆記具
【請求項２】
前記レンズ部が、硬質樹脂からなる成形品からなり、前記透明部を光沢仕上げによって形成し、前記半透明部を梨字仕上げによって形成したことを特徴とする請求項１に記載の筆記具
【発明の詳細な説明】
【技術分野】
【０００１】
本発明は、軸筒の外壁又は軸筒内に配設した部材の外壁に、文字、記号若しくは図形又はこれらの組み合わせによる表示を有する表示部を周設し、前記軸筒に直接又は付設した拡大鏡体のレンズ部によって、前記表示部を拡大して視認可能とした筆記具に関する。
【背景技術】
【０００２】
従来から、軸筒の外壁に、文字、記号若しくは図形又はこれらの組み合わせによる表示を有する表示部を設け、軸筒等に形成した窓部から表示部を視認可能とした筆記具は知られている。
【０００３】
こうした筆記具は、特開平０８−７２４８２号公報「回転式表示器付筆記具及び筆記具用回転式表示器」や実公平０５−１８１５９号「ノック式筆記具」に開示されている。
【０００４】
また、文字、記号若しくは図形又はこれらの組み合わせによる表示が見やすくするために、拡大鏡を付設した筆記具も特開２００５−７４８２６号公報「拡大鏡機能を備えた筆記用具」に開示されている。
【特許文献１】「特開平０８−７２４８２号公報」
【特許文献２】「実公平０５−１８１５９号公報」
【特許文献３】「特開２００５−７４８２６号公報」
【発明の開示】
【発明が解決しようとする課題】
【０００５】
しかしながら、特許文献１、２は、文字、記号若しくは図形又はこれらの組み合わせによる表示が存在する表示部は外部から視認できるが、文字や記号を周上に複数個、表示する場合等、文字や記号が小さい場合には、見にくいという問題があった。
【０００６】
また、特許文献１に、特許文献３の拡大鏡の技術を組み合わせることによって、軸筒の外壁に、文字、記号若しくは図形又はこれらの組み合わせによる表示が存在する表示部を見やすくすることはできるが、軸筒の複数個所に文字、記号若しくは図形又はこれらの組み合わせによる表示が存在する表示部を設けることができなかった。
【０００７】
また、特許文献２に、特許文献３の拡大鏡の技術を組み合わせることによって、回転カムの外壁の複数個所に文字、記号若しくは図形又はこれらの組み合わせによる表示が存在する表示部を設けることができるが、表示を見やすくするように、拡大鏡を大きくすると、外部から前後の文字が見えてしまうという新たな問題が発生する。
【０００８】
こうした問題を解決するには、窓孔を小さくして、前後の表示を見え難くするか、文献３のように６０度間隔等、表示間に間隔を設けることが考えられるが、前者は、表示部に光が取り入れ難く、表示が見にくいという問題があり、後者は、表示の間隔をある程度大きくする必要があるため、所望する数、例えば、アルファベット２７文字等、数多く表示することができないという問題があった。
【０００９】
本発明はこうした問題に鑑み、文字、記号若しくは図形又はこれらの組み合わせによる表示が存在する表示部が外部から見やすく、且つ複数の表示が可能な筆記具を提供することにある。
【課題を解決するための手段】
【００１０】
本発明は、軸筒の外壁又は軸筒内に配設した部材の外壁に、文字、記号若しくは図形又はこれらの組み合わせによる表示を有する表示部を周設し、前記軸筒に直接又は付設した拡大鏡体のレンズ部によって、前記表示部を拡大して視認可能とした筆記具であって、前記表示部又は拡大鏡体を、前記軸筒の軸心に対して円周方向に回転可能とするとともに、前記レンズ部が、前記拡大した個々の表示よりも大きい透明部と、該透明部の少なくとも円周方向における両端部に半透明部を有することを特徴とする。
【００１１】
前記レンズ部が、硬質樹脂からなる成形品からなり、前記透明部を光沢仕上げによって形成し、前記半透明部を梨字仕上げによって形成したことを特徴とする。
【発明の効果】
【００１２】
本発明は、文字、記号若しくは図形又はこれらの組み合わせによる表示が存在する表示部が外部から見やすく、且つ複数の表示が可能な筆記具を提供することができた。
【発明を実施するための最良の形態】
【００１３】
次に図面を参照しながら、本発明の筆記具の実施例を説明するが、本発明は以下の実施例に限定されるものではない。
【００１４】
実施例１
図１から図４に示す実施例１の筆記具１は、前軸２と内部胴４を着脱自在に螺着し、内部胴４を被覆するように半透明の後軸３を装着して軸筒本体を構成し、前軸２の先端部に黄銅を切削加工することにより形成した口先部材５を着脱自在に螺着するとともに、前軸２の把持部に、予めシリコーンゴムにて成形した半透明のグリップ部材５を配設してある。また、後軸３の先端面とグリップ部材５の後端面に間隙を形成してあり、この間隙に位置する前軸２の外壁に、アルファベット記号を表示した表示部Ｍを周上に設け、この表示部Ｍを覆うように、拡大鏡体１５を軸筒の軸心Ｊに対して回転可能に配設してある。
【００１５】
拡大鏡体１５は、軸心Ｊに対して垂線方向に突出した凸部１５ａを形成し、この凸部１５ａに外壁面を円弧状としたＰＣ樹脂からなるレンズ１６を装着し、レンズ部を設けてある。また、口先部材６には半透明の弾性体のカバー７を装着してある。
【００１６】
また、内部胴４内にＰＯＭ樹脂で形成した回転カム１１からなる出没機構を具備している。この出没機構は、従来から知られているもので、簡単に説明すると、内部胴４の内壁面に回転カム１１を前後に摺動案内し回転させるためのカム溝（図示せず）を形成し、このカム溝に、回転カム１１に形成した突起を係合して配設してある。回転カム１１の後端には、回転カム１１を摺動し回転を付与するためのカム部を先端に有した押し棒１０を配設し、さらにその後端にノック体８を、後軸３及び内部胴４より外方に突出した状態に配設した構造である。また、ノック体８には半透明の弾性体のノック体カバー９を装着してある。
【００１７】
回転カム１１の前方には、筆記具用インキ（図示せず）を収容したインキ収容管１２の先端部に、ボールを回転自在に包持したボールペンチップ１３を装着したボールペンレフィルをコイルスプリング１４により後軸３後端方向へ付勢して、摺動自在に配設してあり、口先部材６を取り外すことで、ボールペンレフィルを交換可能としてある。
【００１８】
ノック式の筆記具１を使用するには、ノック体８を押圧して押し棒１０を押圧し、さらに回転カム１１をカム溝（図示せず）に沿って前進させ、押し棒１０のカム部の作用により回転カム１１を回転させて、ボールペンチップ１３を口先部材６の先端開口部６ａより突出させて使用することができる。さらにノック体８を押圧すると、押し棒１０のカム部の作用により回転カム１１を回転させ、コイルスプリング１４の付勢力によって回転カム１１をカム溝（図示せず）に沿って後退させ、ボールペンチップ１３を没入することができる。
【００１９】
レンズ部１６は、表示部の個々の文字、例えば図３に示すように拡大したアルファベットのＡよりも大きく形成して、光を取り入れやすくしてある。単にレンズ部１６を大きく形成すると、前後の文字（Ｂ、Ｚ）が見えてしまうため、少なくとも円周方向において、表示部Ｍの個々の文字、例えば図に示すように拡大したアルファベットのＡよりも大きい光沢仕上げした透明部１６ａと、両端部に梨字仕上げした半透明部１６ｂを形成し、前後の文字を見にくくしてある。
【００２０】
更にまた、拡大鏡体１５に、軸心対して垂線方向に突出した凸部１５ａを形成することによって、指等が当接しやすく、拡大鏡体１５の回転操作が容易になるので好ましい。また、拡大鏡体１５を回転操作するときに、クリップ部材等の軸筒本体から外方に突出した部分を有すると回転操作し難く、クリップ部材を上向きにして筆記する時に、レンズ部１６の位置が周方向にずれることがあり、表示部Ｍが見にくいため、クリップ部材等、軸筒本体から外方に突出した他の部分を形成しないことが最も好ましく、凸部１５ａの頂部を、軸筒の軸心から最も離間して形成することによって、クリップ部材を付設してない筆記具であっても、机などから筆記具が転がり、落下するのを防止できるといった相乗効果を得られる。
【００２１】
尚、本実施例では、便宜上、後軸内に内部胴を配設し、この内部胴にカム溝（図示せず）、回転カム等の出没機構を具備してあるが、後軸に直接、カム溝（図示せず）を形成し、回転カム等の出没機構を具備してもよい。
【００２２】
また、実施例では、便宜上、レンズ部としてＰＣ樹脂を用いているが、アクリル樹脂等の樹脂材やガラス等、レンズとして用いている材料を適宜選択して用いることができるが、レンズ部を硬質樹脂からなり、透明部を光沢仕上げによって形成し、半透明部を梨字仕上げによって形成することによって、容易に透明部及び半透明部を形成することができるので、最も好ましい。
【００２３】
更にまた、本実施例では、軸筒の外壁に表示部を周設して固定し、レンズ部を有する拡大鏡体を、軸筒に対して円周方向に回転可能してあるが、レンズ部を有する拡大鏡体を固定し、表示部を回転可能にしてもよいし、両者を回転可能に配設してあってもよい。また、表示部を軸筒内に配設する筆記体や回転カム等の部材の外壁に周設して、この部材を回転可能に配設してあってもよい。軸筒内に配設した部材に表示部を設ける場合には、軸筒自体をレンズ部としてもよい。
【産業上の利用可能性】
【００２４】
本発明の筆記具は筆記体の種類やノック式、キャップ式に限定されることなく、筆記具として広く実施可能であり、所望の文字、記号若しくは図形又はこれらの組み合わせによる表示が存在する表示部を設けることができる。
【図面の簡単な説明】
【００２５】
【図１】本発明の筆記具の軸筒を示す、外観図である。
【図２】図１におけるＦ方向から見た断面図である。
【図３】図１における拡大鏡体の拡大図である。
【図４】図２における一部省略したＡ−Ａ断面図である。
【符号の説明】
【００２６】
１  筆記具
２  前軸
３  後軸
４  内部胴
５  グリップ部材
６  口先部材
７  滑り止め部材
８  ノック体
９  ノック体カバー
１０  押し棒
１１  回転カム
１２  インキ収容筒
１３  ボールペンチップ
１４  コイルスプリング
１５  拡大鏡体
１６  レンズ部
１６ａ  透明部
１６ｂ  半透明部
【図１】
2008254369.tif 000003
【図２】
2008254369.tif 000004
【図３】
2008254369.tif 000005
【図４】
2008254369.tif 000006